(57)【要約】【課題】フルカラー電子写真装置の現像器の現像ローラへ現像バイアス電圧を確実に供給する。【解決手段】本発明の電子写真装置は、導電部材で構成された現像器退避手段が、現像器側の内側に設けた導電部材と接触し、現像器側導電部材が現像器構成部品である現像ローラの凸形状の端部もしくは現像ローラ軸部と接触し、本体側の現像器退避手段は本体側導電部材と接触し、本体側導電部材が基板の電源供給部に接続し、現像ローラ端部と前記現像器側導電部材が現像器ケースの同一側に存在する。【選択図】　図１
2004029608.tif 000002
【特許請求の範囲】
【請求項１】
露光手段と、感光体と、現像手段である現像器と、前記現像器を前記感光体から退避させる現像器退避手段とを備えた電子写真装置において、
前記現像器退避手段が電子写真装置本体側に配置してあって、
電子写真装置本体側と、現像器退避手段と接触する前記現像器部とに、それぞれ導電性部材を設け、
前記現像器側導電部材が、前記現像器の現像ローラ軸部と、前記現像器退避手段とに接触し、
前記本体側導電部材が、前記現像器退避手段と前記現像器の現像ローラ軸部とに接触し、
かつ本体側導電部材が現像バイアス電圧供給部に接続していることを特徴とする電子写真装置。
【請求項２】
請求項１に記載の電子写真装置において、
前記現像器の現像ローラ軸端部が凸形状をしており、本体フレームに取り付けた本体側導電部材と接触し、
前記現像器退避手段とその手段と接触する前記現像器部に、それぞれ導電性部材を設け、現像器側導電部材が前記現像ローラ軸部と接触し、本体側導電部材を基板の電源供給部に接続し、
前記現像ローラ端部と前記現像器側導電部材を前記現像器ケースの同一側に配置することを特徴とする電子写真装置。
【請求項３】
請求項１または請求項２のいずれかに記載の電子写真装置において、
前記現像器内部に金属の現像ローラ軸受とリセットローラおよび金属のリセットローラ軸受を有し、前記現像器側導電部材をリセットローラに接触させ、前記現像ローラもしくは現像ローラ軸受部と前記リセットローラもしくは前記リセットローラ軸受部をそれぞれ左右両側もしくは片側どうしで導電性部材にて接続することを特徴とする電子写真装置。
【請求項４】
請求項１または請求項２のいずれかに記載の電子写真装置において、
前記現像器側導電部材を前記現像器の現像器フタと現像器ケースとで挟持することによって固定することを特徴とする電子写真装置。
【請求項５】
請求項１〜請求項４のいずれかに記載の電子写真装置において、
前記現像器側導電部材または、本体側導電部材は金属のプレス一体構造であることを特徴とする電子写真装置。
【請求項６】
請求項１〜請求項５のいずれかに記載の電子写真装置において、
前記現像器側導電部材は前記リセットローラにはめ込み固定し、前記現像ローラ端部もしくは前記現像ローラ軸部もしくは前記現像ローラ軸受部に接することを特徴とする電子写真装置。
【請求項７】
請求項１〜請求項６のいずれかに記載の電子写真装置において、
前記現像ローラもしくは前記現像ローラ軸受部に接する現像器側導電部材を、金属製のばねと金属プレス品とで構成される前記現像器退避手段とで接続することを特徴とする電子写真装置。
【発明の詳細な説明】
【０００１】
【発明の属する技術分野】
本発明は、電子写真装置に係り、特にフルカラー電子写真装置の現像器の現像ローラへ現像バイアス電圧を供給する構造に関する。
【０００２】
【従来の技術】
従来技術の電子写真装置では、現像器の現像ローラへ現像バイアス電圧を供給する技術として、現像器が感光体へ押し付け／退避動作することや、現像ローラ自身がトナー供給のため回転するため、現像ローラの端部を凸形状にし、その端部を現像器からむき出しの構造とし、電子写真本体側に設けた電極と接触させていた。
【０００３】
【発明が解決しようとする課題】
前記従来技術のような給電構造では、接点部では現像ローラ端部が回転動作に加え直線動作もするため本体側電極との摩擦による現像ローラ端部の摩耗が激しく、端部表面が荒れてしまったり、摩耗粉の付着により電気的接触不良を生じ、出力画像上にスジ状の画像不良が発生する場合があった。また接点部にトナー等の異物が付着した場合にも画像不良が発生することもあった。
【０００４】
本発明の目的は、このような従来技術の欠点を解消し、電子写真装置の現像器への現像バイアス電圧を安定して供給することである。
【０００５】
【課題を解決するための手段】
本発明の電子写真装置は、導電部材で構成された現像器退避手段が、現像器側の内側に設けた導電部材と接触し、その現像器側導電部材が現像器構成部品である現像ローラの端部もしくは軸部と接触し、その本体側の現像器退避手段は本体側導電部材と接触し、その導電部材が基板の電源供給部に接続する。
【０００６】
本発明の電子写真装置は、現像器の現像ローラ端部が凸形状をしており、電子写真本体側に設けた導電部材で構成される電極と接触し、その本体側電極と基板の電源供給部に接続する構造を有し、現像ローラ端部と前記現像器側導電部材が現像器ケースの同一側に存在する。
【０００７】
本発明の電子写真装置は、上記の現像器側導電部材とリセットローラとを接触させ、現像ローラもしくは現像ローラ軸受とリセットローラのそれぞれ左右両側もしくはいずれか片側を導電部材で接続する。
【０００８】
本発明の電子写真装置は、上記の現像器側導電部材を、現像器の構造部品であるプラスチック製の現像器フタとプラスチック製の現像器ケースとで挟み込んで、固定する。
【０００９】
本発明の電子写真装置は、上記の現像器側導電部材と本体側導電部材とを金属のプレス加工一体構造とした。
【００１０】
本発明の電子写真装置は、上記の現像器側導電部材を現像器内部のリセットローラにはめ込んで固定し、現像ローラ端部もしくは現像ローラ軸部もしくは現像ローラ軸受部に接している。
【００１１】
本発明の電子写真装置は、上記の本体側導電部材と現像器側導電部材を金属製ばねと金属プレス品とで構成される現像器退避手段とで接続する。
【００１２】
【発明の実施の形態】
次に本発明の実施例を図面を用いて説明する。図２は、本発明の実施例の電子写真装置であるフルカラープリンタの概略構成図である。図２を用いてプリンタ本体１の概略構成と動作とを説明する。ベルト状の感光体５の下側に、帯電器６と走査露光ユニット４が配置している。走査露光ユニット４から出射するレーザービームは、帯電済みの感光体５の表面を走査露光し、静電潜像を形成する。
【００１３】
感光体５の図２に向かって右側には、感光体５が平坦になる領域にカートリッジタイプの現像器２ａ〜２ｄが個別に配置されている。現像器２ａにブラック
（Ｋ）、現像器２ｂにイエロー（Ｙ）、現像器２ｃにマゼンダ（Ｍ）、現像器
２ｄにシアン（Ｃ）のトナーが内蔵されている。これらの現像器２ａ〜２ｄはプリンタ本体１に設けられた現像器退避手段３ａ〜３ｄにより感光体５から離間しており、静電潜像の対応色に合わせて選択的に感光体５へ現像器を感光体５に押し付けられて、各静電潜像に対応する色のトナー像を感光体５に形成する。
【００１４】
トナー保持体であるベルトもしくはドラム形状の転写ベルト７は、感光体５とトナー像転写領域で接触しながら回転するように配置されていて、感光体５の表面に形成されたトナー像がこのトナー像転写領域で転写ベルト７上に転写される。本実施例のフルカラープリンタでは、転写ベルト７が感光体５と同じ約１５０ｍｍ／ｓの周速度で同期回転する。転写ベルト７の周囲には、転写ローラ１１とクリーニングブラシ１４とが配置され、転写ベルト７の表面に感光体５から各色のトナー像が重合するように順次に転写されてフルカラートナー像を形成する。
【００１５】
転写ベルト７の下側には、給紙カセット８に収納され記録媒体１０を供給する給紙ローラ９が配置されている。給紙ローラ９で送られてきた記録媒体１０は転写ローラ１１と中間転写体である転写ベルト７との間を通り、転写ローラ１１に加える電圧によってトナー像が記録媒体１０上に転写される。転写ベルト７上に残ったトナーはクリーニングブラシ１４で回収される。表面にトナー像を転写した記録媒体１０は、定着器１２に搬送されてトナー像が記録媒体１０上に定着され、その後記録媒体１０は、排紙ローラ１３により機外へ搬送される。
【００１６】
図３は電子写真装置に用いる現像器２ａ〜２ｄの概略構成図である。現像器
２ａ〜２ｄはいずれも電子写真装置本体に着脱が可能であって、現像器ケース
１６と現像器フタ１５と現像ローラ１７とリセットローラ１８とで構成される。
この現像器ケース１６と現像器フタ１５とは絶縁体であるプラスチック製である。現像ローラ１７は金属の現像ローラ軸受１９で支持されている。現像器内部のトナーは、現像器内部のパドル２１により現像ローラ１７周辺まで供給され、回転している現像ローラ表面上に均一に帯電し付着する。均一に帯電付着したトナーは、現像ローラ１７に現像バイアス電圧を印加し、現像ローラ１７と感光体５表面との電位差を発生させることによって、感光体５表面に現像される。現像ローラ端部２０は本体側導電部材２２と接触させるために凸形状をしている。
【００１７】
図１に前記現像器２ａ〜２ｄへ現像バイアス電圧を供給する手段の詳細を示す。現像ローラ端部２０には本体側導電部材２２が接触し、現像器ケース１６内に設けた現像器側導電部材２４には、現像器を感光体から退避させる手段であって、本体側に備えた金属ばね２３が接触し、金属ばね２３は本体側導電部材２２と接触している。本体側導電部材２２は基板の電源供給部２５へ接続する。
【００１８】
このように、本実施例のフルカラープリンタでは、基板の電源供給部２５−本体側導電部材２２−現像ローラ１７と、電源供給部２５−本体側導電部材２２−金属ばね２３−現像器側導電部材２４−現像ローラ１７との複数の経路で現像ローラ１７へ現像バイアス電圧を供給する。この構造により、現像バイアス電圧供給の信頼性が向上する。例えば、現像ローラ端部２０と本体側導電部材２２との間に異物が付着して接触不良となっても、もう一つの現像器側導電部材２４により電圧が供給され、画像不良が発生しない。また、本実施例では、現像バイアス電圧を現像器に供給する接点を何れも現像器の同じ側面に配置してあるので、給電部材の引き回しが少なく現像バイアス電圧供給の信頼性が上がる。
【００１９】
図４ａと図４ｂはリセットローラ１８を介した現像ローラ１７への現像バイアス電圧供給手段の詳細を示す。現像器側導電部材２４をリセットローラ１８に接触させ、リセットローラ１８と現像ローラ１７との間を導電部材２６で接続する。図４ａはリセットローラ１８の左右軸部と現像ローラ１７の左右軸部を導電部材２６にて接続する構造を示す。図４ｂはリセットローラ１８の左右の軸受２７と左右の現像ローラ軸受１９とを導電部材２６で接続する構造を示す。このように本実施例のフルカラープリンタでは、現像器側導電部材２４と現像ローラ１７の間の電気接触経路がリセットローラ１８を介して並列接続となり、より電気接触の信頼性が向上し、画像の品質が向上する。
【００２０】
図５ａと図５ｂとに本実施例の現像器側導電部材２４の固定手段を示す。現像器側導電部材２４は金属のプレス加工品であり、一体形状となっている。図５ａは現像器側導電部材２４を現像器ケース１６と現像器フタ１５とで挟み込んで固定する構造の説明図である。図５ｂは現像器側導電部材２４をリセットローラ
１８にはめ込んで固定する構造の説明図である。この構造により、現像器側導電部材２４を小型化することが可能となり、固定するための追加部品が必要ない。
【００２１】
図６ａと図６ｂとに本実施例の現像器側導電部材２４を現像ローラ１７に接触させる手段の構造を示す。図６ａは現像ローラ１７軸部に現像器側導電部材２４を接触させる構造である。図６ｂは現像ローラ軸受１９に現像器側導電部材２４を接触させる構造である。
【００２２】
【発明の効果】
本発明の電子写真装置では、現像器の現像ローラへの現像バイアス電圧供給ルートが複数あるので、安定した電圧供給が可能となり安定した画像を得ることができる。
【図面の簡単な説明】
【図１】実施例のフルカラープリンタで、現像器へ現像バイアス電圧を供給する手段の説明図。
【図２】実施例のフルカラープリンタの構造の説明図。
【図３】実施例のフルカラープリンタに用いる現像器の概略構成図。
【図４】実施例のフルカラープリンタで、現像器のリセットローラを介して現像ローラへの現像電圧を供給する手段の説明図。
【図５】実施例のフルカラープリンタで、現像器側導電部材の固定方法の説明図。
【図６】実施例のフルカラープリンタで、現像器内導電部材を現像ローラへ接触する手段の説明図。
【符号の説明】
１…プリンタ本体、２ａ，２ｂ，２ｃ，２ｄ…現像器、３ａ，３ｂ，３ｃ，
３ｄ…現像器退避手段、４…走査露光ユニット、５…感光体、６…帯電器、７…転写ベルト、８…カセット、９…給紙ローラ、１０…記録媒体、１１…転写ローラ、１２…定着器、１３…排紙ローラ、１４…クリーニングブラシ、１５…現像器フタ、１６…現像器ケース、１７…現像ローラ、１８…リセットローラ、１９…現像ローラ軸受、２０…現像ローラ端部、２１…パドル、２２…本体側導電部材、２３…金属ばね、２４…現像器側導電部材、２５…電源供給部、２６…導電部材、２７…軸受。
【図１】
2004029608.tif 000003
【図２】
2004029608.tif 000004
【図３】
2004029608.tif 000005
【図４】
2004029608.tif 000006
【図５】
2004029608.tif 000007
【図６】
2004029608.tif 000008